(57)【特許請求の範囲】
【請求項１】
キーボード、ディスプレイ、カード挿入用スロット、銀行券及び／又は小切手が投入される入力ホッパ及び銀行券を払い出す受取口を備えたコンソールを有する自動現金受け払い機において、
同じ又は異なる額面の銀行券を収容するための複数の主収容装置と、
頻繁に取引される額面の銀行券を収容するための少なくとも一つの補助収容装置と、
前記銀行券の受け取り口、前記主収容装置及び前記補助収容装置間にて銀行券を移送する移送手段と、を備え、
前記補助収容装置における銀行券の取り出し速度は、前記主収納装置における銀行券の引き出し速度よりも速いことを特徴とする自動金銭受け払い機。
【発明の詳細な説明】
【０００１】
【発明の属する技術分野】
本発明は、自動金銭受け払い機に関する。
【０００２】
【従来の技術、及び、発明が解決しようとする課題】
従来の自動金銭受け払い機の扱う銀行券の束はカセットに収容されていて、顧客から適法な要求があった場合に、銀行券がそこから取り出される。カセットから銀行券を取り出し、銀行券受け取り場所に送るための周知の機構は、真空作動移動可能吸引パッドおよびコンベア・ベルトを含む。銀行券は銀行券の束の一番上から一枚ずつ取り出す必要があり、機械的駆動装置が吸引パッドを動作させて、吸引パッドをカセットからコンベア・ベルトへ移動する。この場合、現金に対する顧客からの適法な要求と、銀行券受け取り場所への上記要求に応じての銀行券の供給との間には当然時間的な遅れが生じる。カセットから銀行券を取り出したり、それ以降の移送を行うための装置が機械的に複雑であるので、顧客がイライラするような時間的な遅れが生じる。このような時間的な送れのために、自動金銭受け払い機の機能する速度が制限され、そのため、一定の時間内に、一台の自動金銭受け払い機が処理することができる取引の最大の回数も制限を受ける。自動金銭受け払い機は世界中で広く使用されているので、個々の取引の時間をできるだけ短くし、一定の時間内に一台の自動金銭受け払い機が処理することができる取引の回数を増大し、その資本費への戻りを改善することが望ましい。
【０００３】
本発明の一つの目的は、自動金銭受け払い機が一回の取引を行うのに必要な時間を短縮することである。
【０００４】
【課題を解決するための手段】
本発明は、キーボード、ディスプレイ、カード挿入用スロット、銀行券及び／又は小切手が投入される入力ホッパ及び銀行券を払い出す受取口を備えたコンソールを有する自動現金受け払い機において、同じ又は異なる額面の銀行券を収容するための複数の主収容装置と、頻繁に取引される額面の銀行券を収容するための少なくとも一つの補助収容装置と、前記銀行券の受け取り口、前記主収容装置及び前記補助収容装置間にて銀行券を移送する移送手段と、を備え、前記補助収容装置における銀行券の取り出し速度は、前記主収納装置における銀行券の引き出し速度よりも速いことを特徴とする自動金銭受け払い機を提供する。
【０００５】
好適には、補助記憶装置は、主収容装置より速い速度で銀行券を払い戻すことが好ましい。
【０００６】
本発明を実行する際には、補助収容装置が、主収容装置に優先して要求を受けたときに、銀行券を供給するように、補助収容装置を配置することができる。
【０００７】
本発明の実施形態の場合には、相互に異なる額面の銀行券を収容している複数の補助収容装置を設置することができる。主収容装置は、それぞれが銀行券の束を収容している複数の収容用カセットを含むことができる。いくつかのカセットが、同じまたは異なる額面の銀行券を収容することができる。
【０００８】
本発明をさらに完全に理解してもらうために、添付の図面を参照する。
【０００９】
【発明の実施の形態】
図１について説明すると、この図は顧客が使用することができる自動金銭受け払い機の前面、すなわち、コンソール１０である。コンソール１０は、キーボード１４と、ディスプレイ画面１６と、通常は、銀行口座を持つ個人の、適当にコード化されたカードを挿入するためのスロット１２と、銀行券が供給されたとき、銀行券を受け取ることができる銀行券受け取り場所１８とを含む。自動金銭受け払い機は顧客ができるだけ簡単に、誰でも操作できる設計されている。顧客は、その上のコード化された情報を読んでもらうために、スロット１２に自分のカードを挿入する。その後、スクリーン１６上に指示が表示される。顧客はキーボードを使用して個人識別番号（ＰＩＮ）を入力するように要求される。この数字は、通常は、コンソール１０から離れた中央で確認され、挿入されたカードから読み取った情報と比較して正しいと判断した場合には、顧客に対して、スクリーン１６に顧客がコンソール１０で使用することができる設備のメニューが表示される。このメニューは、銀行券引き出し設備を含む。顧客は、必要とする金額を、キーボードまたはスクリーンの横にある別のキーボードにより入力する。この瞬間から、コンソール１０の後ろにある機構が動作して、要求された要求をできるだけ迅速に送ることが望ましい。図２は、この目的を達成するための本発明を実行した手段である。
【００１０】
図２について説明すると、この図は、銀行券受け取り場所１８に迅速に銀行券を供給するための機構である。銀行券の束はカセット３８、４０、４２、４４、４６および４８に収容されている。いくつかのカセットは、ニーズを予測して、必要と思われる場合には、同じまたは異なる額面の銀行券を保持することができる。周知の銀行券取り出し装置（図示せず）は、カセットから銀行券を取り出すためのものである。これらの装置は、モータ３２により駆動される真空作動移動可能吸引パッドを含むことができる。三つのリンクしたセクション１、２および３を持つ結合したコンベア・ベルトからなる移送機構は、銀行券を銀行券取り出し装置からその目的地へ運ぶ。従来の自動金銭受け払い機の場合、この目的地は銀行券受け取り箇所３２である。しかし、カセットから銀行券を取り出し、移送機構へ運ぶ装置が機械的に複雑であるので、移送の速度が制限され、顧客がイライラするような時間的な遅れが生じる。このような時間的な遅れを少なくするために、二つの追加補助収容装置４および５が設置されている。
【００１１】
収容装置４および５は、種々の物理的形態をとることができ、カセットに関連する銀行券取り出し装置より速い速度で、銀行券をコンベア・ベルトに供給するように選択される。その例としては、収容スタック、ベルトまたはドラムのような循環収容装置、一本またはそれ以上の螺旋ベルトを使用する装置などがある。任意の便宜の数の補助収容装置を設置することができる。各補助収容装置は、頻繁に引き出される特定の額面の銀行券を収容するように設計される。二つの上記補助収容装置４および５には最も頻繁に引き出される額面の銀行券が収容されていて、英国においては、これらカセットは、それぞれ使用上の便宜上、最も頻繁に引き出される１０ポンド紙幣と２０ポンド紙幣を収容している。しかし、もっと多い数または少ない数の補助収容装置も同様に設置することができる。補助収容装置４および５は、好適には、主収容装置より慣性が低いものが選ばれる、その結果、これら補助収容装置は、全体の取引時間を短くするために、主収容装置よりも速い速度で銀行券を供給することができる。補助収容装置は、「後入れ先出し」（ＬＩＦＯ）または「先入れ先出し」（ＦＩＦＯ）により、銀行券を払い出す種類のものであってもよい。
【００１２】
図２に示す自動金銭受け払い機の特徴は、三つのリンクしたコンベア・ベルト・セクション１、２および３である。カセットから取り出された銀行券は、セクション２にロードされる。これら銀行券は、セクション２から銀行券受け取り箇所１８、または補助銀行券収容装置４および５の適当と思われるほうに送ることができる。また銀行券収容装置４または５のどちらかから銀行券を取り出して、コンベア・ベルトのセクション１に置くこともできる。セクション１から、銀行券は銀行券受け取り場所１８に送ることができる。
【００１３】
動作中、顧客が特定の要求を適法に入力すると、自動金銭受け払い機は、最初、その要求を、補助収容装置４および５の一方または両方から、実行しようとするようにプログラムされている。要求された銀行券の少なくともあるものが、これら収容装置内にある場合には、その銀行券は取り出され、コンベア・ベルトのセクション１に置かれ、銀行券受け取り場所１８に送られる。この移送動作は、銀行券をカセットから銀行券受け取り場所１８に移送する同じ動作と比較すると、ハッキリ速い。上記要求を収容装置４または５により完全に実行することができないが、その命令を実行するのに必要な銀行券が、主収容装置内のカセットから入手できる場合には、上記用入力の残りの銀行券が、カセットから取り出される。この場合、コンベア・ベルトのセクション２に置かれた銀行券は、銀行券受け取り場所１８に送られる。
【００１４】
図に示す機械に望ましい機能は、補助収容装置４および５へできるだけ多くの銀行券を補充することであり、この補充機能が顧客の要求とは無関係に機能することである。補充動作中、補助収容装置４または５のどちらかに空きがある場合には、何時でも適当な銀行券がカセットから取り出される。この銀行券はコンベア・ベルトのセクション２の上に載せられ、セクション１に送られ、そこから、それら銀行券用の適当な補助収容装置４または５に運ばれる。この補充動作により、より高速の補助収容装置の最大限の活用が確実に行われる。
【００１５】
図２のところで説明した銀行券払い出し装置の他に、図２には、顧客が銀行券および小切手を預金することができる、銀行券受領装置が図示してある。預金品目は入力ホッパ２０内に入れられる。預金品目はそこから分類／映像装置２２に送られ、そこで銀行券および小切手は分離され、銀行券は銀行券収容装置２４へ送られ、小切手は小切手収容装置２６へ送られる。コンベア・ベルトの第三のセクション３は動作して、銀行券が装置２２が判断した通りの額面でものである場合で、これら収容装置に空きができた時には、銀行券を補助収容装置４および５に送る。好適には、このような移送は、主収容装置からの銀行券の取り出しに、優先して行うことが好ましい。もう一つの映像化装置２８は、小切手収容装置２６内に収容されている小切手をもっと詳細にチェックするためのものである。
【００１６】
もう一つの収容装置３０も設置されているが、この装置はコンベア・ベルトのセクション１から供給される複数のコンパートメントをもつボックスであってもよい。収容装置３０の一つの用途は、間違って取り出した銀行券の収容ボックスである。
【図面の簡単な説明】
【図１】自動金銭受け払い機の外部の斜視図である。
【図２】本発明を実行した自動金銭受け払い機の主動作部品の略図である。
【図１】
0004047424.tif 000002
【図２】
0004047424.tif 000003